(57)【特許請求の範囲】
【請求項１】
異なる場所に設置され、互いに通信手段を介して通信可能な第１の装置と第２の装置とからなるオーディオ装置であって、
第１および第２の装置はそれぞれ、通信手段の他に、外部から各種情報を受信する情報受信手段と、この情報受信手段による情報受信の開始と停止を行う操作部材と、情報を記録する情報記録手段と、情報を再生する情報再生手段と、情報の送受信、記録および再生を制御する制御手段とを備え、
第１の装置で外部情報を受信しているときに受信停止操作が行われると、第１の装置で外部情報を記録し、第２の装置へ記録情報を転送して第２の装置で情報を記録し、第２の装置の情報受信開始操作により記録情報を再生し、
さらに第１の装置は受信情報の種類を第２の装置へ送信し、第２の装置は同一種類の情報を受信してその記録を開始するとともに、第１の装置へ情報記録停止指令を送信して情報記録を終了させることを特徴とするオーディオ装置。
【請求項２】
請求項１に記載のオーディオ装置において、
第２の装置は、記録情報を再生するときに、情報を記録したときの速度よりも速い速度で再生することを特徴とするオーディオ装置。
【請求項３】
請求項２に記載のオーディオ装置において、
第２の装置は、記録速度よりも速い速度で再生中の記録情報が同一種類の受信情報に追いついたら、記録情報の再生を停止することを特徴とするオーディオ装置。
【請求項４】
異なる場所に設置され、互いに通信手段を介して通信可能な第１の装置と第２の装置とからなるオーディオ装置であって、
第１および第２の装置はそれぞれ、通信手段の他に、外部から各種情報を受信する情報受信手段と、この情報受信手段による情報受信の開始と停止を行う操作部材と、情報を再生する情報再生手段と、情報の送受信、記録および再生を制御する制御手段とを備えるとともに、第２の装置はさらに情報を記録する情報記録手段を備え、
第１の装置で外部情報を受信しているときに受信停止操作が行われると、第２の装置へ受信情報の種類を送信し、第２の装置で同一種類の情報を受信して記録するとともに、第１の装置へ放送受信可能指令を送信して放送受信を終了させ、第２の装置の情報受信開始操作により記録情報を再生することを特徴とするオーディオ装置。
【請求項５】
請求項４に記載のオーディオ装置において、
第２の装置は、記録情報を再生するときに、情報を記録したときの速度よりも速い速度で再生することを特徴とするオーディオ装置。
【請求項６】
請求項５に記載のオーディオ装置において、
第２の装置は、記録速度よりも速い速度で再生中の記録情報が同一種類の受信情報に追いついたら、記録情報の再生を停止することを特徴とするオーディオ装置。
【請求項７】
請求項４〜６のいずれかの項に記載のオーディオ装置において、
第２の装置で同一種類の情報の受信が不可能なときは、第１の装置で情報を受信し、第２の装置へ受信情報を転送して第２の装置で情報を記録することを特徴とするオーディオ装置。
【請求項８】
請求項１〜７のいずれかの項に記載のオーディオ装置において、
前記情報受信手段には、ラジオ受信機、テレビ受像機、ＦＭ放送受信機、ビーコン受信機が含まれることを特徴とするオーディオ装置。
【請求項９】
請求項１〜８のいずれかの項に記載のオーディオ装置において、
第１または第２の装置のいずれか一方を車両に搭載することを特徴とするオーディオ装置。
【発明の詳細な説明】
【０００１】
【発明の属する技術分野】
本発明はラジオやテレビなどのオーディオ装置に関する。
【０００２】
【従来の技術】
家庭にあるＣＤなどの音響機器から音楽データを無線通信により車両へ送信し、車両側で受信してＭＤなどの記録メディアに記録し、車載音響機器で再生するようにしたオーディオ装置が知られている（例えば、特開平１１−０９８５６６号参照）。
【０００３】
【発明が解決しようとする課題】
ところで、家庭でラジオやテレビ放送を視聴中に急に車両で移動することになった場合に、車載のオーディオ装置で放送の続きを視聴することはできるが、家庭から車両へ移動する間の放送分を視聴することができないため、ニュースなどの重要な情報を聞き逃したり、見逃したりすることがある。
【０００４】
また、上述した従来のオーディオ装置は、家庭内にあるＣＤなどに記録された音楽データを対象としており、ラジオやテレビ放送のような家庭外に情報源のある情報を対象とするものではない。
【０００５】
本発明の目的は、家庭や勤務先から車両へ、あるいは車両から家庭や勤務先へ移動するときに、ラジオ受信機やテレビ受像機を携帯せずに、移動期間中の放送内容を到着後に視聴することができるオーディオ装置を提供することにある。
【０００６】
【課題を解決するための手段】
一実施の形態の構成を示す図１に対応づけて本発明を説明すると、
（１）  請求項１の発明は、異なる場所に設置され、互いに通信手段１４，２３を介して通信可能な第１の装置１と第２の装置２とからなるオーディオ装置であって、第１および第２の装置１，２はそれぞれ、通信手段１４，２３の他に、外部から各種情報を受信する情報受信手段１１，２１と、この情報受信手段１１，２１による情報受信の開始と停止を行う操作部材２９と、情報を記録する情報記録手段１５，２５と、情報を再生する情報再生手段１２，２６，２７と、情報の送受信、記録および再生を制御する制御手段１３，２２とを備え、第１の装置１で外部情報を受信しているときに受信停止操作が行われると、第１の装置１で外部情報を記録し、第２の装置２へ記録情報を転送して第２の装置２で情報を記録し、第２の装置２の情報受信開始操作により記録情報を再生する。さらに第１の装置１が受信情報の種類を第２の装置２へ送信し、第２の装置２は同一種類の情報を受信してその記録を開始するとともに、第１の装置１へ情報記録停止指令を送信して情報記録を終了させるようにしたものである。
（２）  請求項２のオーディオ装置の第２の装置２は、記録情報を再生するときに、情報を記録したときの速度よりも速い速度で再生するようにしたものである。
（３）  請求項３のオーディオ装置の第２の装置２は、記録速度よりも速い速度で再生中の記録情報が同一種類の受信情報に追いついたら、記録情報の再生を停止するようにしたものである。
（４）  請求項４の発明は、異なる場所に設置され、互いに通信手段を介して通信可能な第１の装置１と第２の装置２とからなるオーディオ装置であって、第１および第２の装置１，２はそれぞれ、通信手段１４，２３の他に、外部から各種情報を受信する情報受信手段１１，２１と、この情報受信手段１１，２１による情報受信の開始と停止を行う操作部材２９と、情報を再生する情報再生手段１２，２６，２７と、情報の送受信、記録および再生を制御する制御手段１３，２２とを備えるとともに、第２の装置２はさらに情報を記録する情報記録手段２５を備え、第１の装置１で外部情報を受信しているときに受信停止操作が行われると、第２の装置２へ受信情報の種類を送信し、第２の装置２で同一種類の情報を受信して記録するとともに、第１の装置へ放送受信可能指令を送信して放送受信を終了させ、第２の装置２の情報受信開始操作により記録情報を再生するようにしたものである。
（５）  請求項５のオーディオ装置の第２の装置２は、記録情報を再生するときに、情報を記録したときの速度よりも速い速度で再生するようにしたものである。
（６）  請求項６のオーディオ装置の第２の装置２は、記録速度よりも速い速度で再生中の記録情報が同一種類の受信情報に追いついたら、記録情報の再生を停止するようにしたものである。
（７）  請求項７のオーディオ装置は、第２の装置２で同一種類の情報の受信が不可能なときは、第１の装置１で情報を受信し、第２の装置２へ受信情報を転送して第２の装置２で情報を記録するようにしたものである。
（８）  請求項８のオーディオ装置の情報受信手段には、ラジオ受信機、テレビ受像機、ＦＭ放送受信機、ビーコン受信機が含まれる。
（９）  請求項９のオーディオ装置は、第１または第２の装置１，２のいずれか一方を車両に搭載したものである。
【０００７】
上述した課題を解決するための手段の項では、説明を分かりやすくするために一実施の形態の図を用いたが、これにより本発明が一実施の形態に限定されるものではない。
【０００８】
【発明の効果】
（１）  請求項１の発明によれば、第１の装置で外部情報を受信しているときに受信停止操作が行われると、第１の装置で外部情報を記録し、第２の装置へ記録情報を転送して第２の装置で情報を記録し、第２の装置の情報受信開始操作により記録情報を再生するようにしたので、第１の装置で外部情報を視聴しているときに第２の装置の設置場所へ移動する場合でも、情報受信手段を携帯せずに、移動期間中に放送された情報を第２の装置の設置場所へ到着後に第２の装置から漏れなく視聴することができ、移動のために情報を聞き逃したり見逃したりすることがなくなる。また、第１の装置が受信情報の種類を第２の装置へ送信し、第２の装置は同一種類の情報を受信してその記録を開始するとともに、第１の装置へ情報記録停止指令を送信して情報記録を終了させるようにしたので、第１の装置で必要最少限の期間だけ情報の受信と記録を行うことができ、第１の装置の無用な作動を防止することができる上に、情報記録手段の記録容量を少なくすることができる。
（２）  請求項２の発明によれば、記録情報を再生するときに、情報を記録したときの速度よりも速い速度で再生するようにしたので、速く”生”放送に追いついて”生”放送を視聴することができる。
（３）  請求項３の発明によれば、記録速度よりも速い速度で再生中の記録情報が同一種類の受信情報に追いついたら、記録情報の再生を停止するようにしたので、情報記録手段の記録容量を少なくすることができる。
（４）  請求項４の発明によれば、第１の装置で外部情報を受信しているときに受信停止操作が行われると、第２の装置へ受信情報の種類を送信し、第２の装置で同一種類の情報を受信して記録し、第２の装置の情報受信開始操作により記録情報を再生するようにしたので、第１の装置で外部情報を視聴しているときに第２の装置の設置場所へ移動する場合でも、情報受信手段を携帯せずに、移動期間中に放送された情報を第２の装置の設置場所へ到着後に第２の装置から漏れなく視聴することができ、移動のために情報を聞き逃したり見逃したりすることがなくなる。
（５）  請求項５の発明によれば、記録情報を再生するときに、情報を記録したときの速度よりも速い速度で再生するようにしたので、速く”生”放送に追いついて”生”放送を視聴することができる。
（６）  請求項６の発明によれば、記録速度よりも速い速度で再生中の記録情報が同一種類の受信情報に追いついたら、記録情報の再生を停止するようにしたので、情報記録手段の記録容量を少なくすることができる。
（７）  請求項７の発明によれば、第２の装置で同一種類の情報の受信が不可能なときは、第１の装置で情報を受信し、第２の装置へ受信情報を転送して第２の装置で情報を記録するようにしたので、第１および第２の装置のいずれか一方で情報を確実に受信することができる。
（８）  請求項９の発明によれば、第１または第２の装置１，２のいずれか一方を車両に搭載したので、家庭あるいは勤務先と車両との間を移動する場合でも、情報受信手段を携帯せずに、移動期間中に放送された情報を移動先へ到着後に漏れなく視聴することができる。
【０００９】
【発明の実施の形態】
《発明の第１の実施の形態》
家庭と車両との間でラジオやテレビ放送を連続的に視聴する発明の第１の実施の形態を説明する。なお、この実施の形態ではラジオ放送を視聴する例を示すが、テレビ受像機によりテレビ放送を受像する場合にも本発明を適用することができる。その場合には、スピーカーの他にＣＲＴや液晶などのディスプレイを用いる。
【００１０】
図１は第１の実施の形態の構成を示す。家庭内にはオーディオ装置１（以下、家庭内装置と呼ぶ）が設置されており、車両にはオーディオ装置２（以下、車載装置と呼ぶ）が設置されている。
【００１１】
家庭内装置１は、ラジオ受信機１１、スピーカー１２、コントローラー１３、携帯電話機１４、ＨＤＤ（Hard Disk Drive）記録部１５などから構成される。コントローラー１３は、一般家庭用のパーソナルコンピューター（以下、パソコンと呼ぶ）１６、受信局検出部１７、ラジオ・オフ検出部１８などから構成される。ラジオ・オフ検出部１８は、視聴者によるラジオ受信機１１のオフ操作を検出する。なお、ラジオ受信機１１のオフ操作が検出されたときに、スピーカー１２からの放送は終了するがラジオ放送の受信は継続し、パソコン１６からのオフ指令によりラジオ放送の受信を停止する。受信局検出部１７は、ラジオ受信機１１の受信局を検出する。パソコン１６は、ＨＤＤ記録部１５によるラジオ放送の記録と、携帯電話機１４による車載装置２との通信を制御する。
【００１２】
車載装置２は、ラジオ受信機２１、コントローラー２２、携帯電話機２３、ナビゲーション装置２４、ＨＤＤ記録部２５、音響再生部２６、スピーカー２７などから構成される。コントローラー２２は、車載マイクロコンピューター（以下、マイコンと呼ぶ）２８、継続視聴スイッチ２９などから構成される。継続視聴スイッチ２９は、家庭で視聴していたラジオ放送番組を車内で引き続いて視聴する場合に操作するスイッチである。ナビゲーション装置２４は、衛星航法および自律航法により車両の現在位置を検出する。車載マイコン２８は、携帯電話機２３による家庭内装置１との通信、ＨＤＤ記録部２５によるラジオ放送の記録、音響再生部２６およびスピーカー２７によるラジオ放送の再生を制御する。
【００１３】
なお、上述した第１の実施の形態の構成の中で、ラジオ放送を記録する記録メディアはＨＤＤ記録部１５、２５に限らず、フラッシュメモリ、ＭＤ、ＤＶＤ−ＲＡＭなどを用いることができる。また、家庭内装置１の携帯電話機１４に代えて据置型電話機を用い、車載装置２の携帯電話機２３に代えて車載電話機を用いることができる。
【００１４】
図２は、家庭内装置１のコントローラー１３の動作を示すフローチャートである。ステップ１において、ラジオ放送視聴中にラジオ・オフ検出部１８によるオフ操作が検出されるとステップ２以降の処理を開始する。ステップ２で受信局検出部１７によりラジオ受信機１１の受信局を検出し、その局のラジオ放送をＨＤＤ記録部１５へ記録開始する。次に、ステップ３で車載装置２から起動メッセージを受信したかどうかを確認する。この起動メッセージは、乗員が車両に搭乗して車載装置２の継続視聴スイッチ２９を投入すると、車載装置２から携帯電話機２３を介して家庭内装置１へ送信されるメッセージである。なお、車載装置２から起動メッセージを受信できない場合に備えて、例えば所定時間以上待っても起動メッセージを受信できない場合は処理を終了するようにしてもよい。
【００１５】
車載装置２から起動メッセージを受信したらステップ４へ進み、受信局情報を携帯電話機１４を介して車載装置２へ送信する。この受信局情報は、車載装置２のラジオ受信機２１によって家庭内装置１で受信していたラジオ放送局と同じ局から同じ番組を継続して視聴するための情報である。ステップ５では、ＨＤＤ記録部１５に記録したラジオ放送を最初の部分から順に車載装置２へ送信する。なお、最新のラジオ放送のＨＤＤ記録部１５への記録と、先に受信して記録したラジオ放送のＨＤＤ記録部１５からの読み出しとを同時に行う。
【００１６】
ステップ６において、車載装置２から放送記録停止メッセージを受信したかどうかを確認する。この放送記録停止メッセージは、車載装置２で同一局のラジオ放送の記録を開始したときに送信されるメッセージである。車載装置２でラジオ放送の記録を開始した後は家庭内装置１での記録が必要なくなるため、ステップ７でＨＤＤ記録部１５へのラジオ放送の記録を停止するとともに、ラジオ受信機１１による放送受信を終了する。続くステップ８でＨＤＤ記録部１５に記録したラジオ放送の車載装置２への送信を完了したかどうかを確認し、送信を完了したら処理を終了する。
【００１７】
図３は、車載装置２のコントローラー２２の動作を示すフローチャートである。ステップ１１において、車載装置２の継続視聴スイッチ２９がオンしたらステップ１２以降の処理を開始する。ステップ１２で家庭内装置１へ起動メッセージを送信する。
【００１８】
ステップ１３では家庭内装置１から受信局情報を受信したかどうかを確認し、受信局情報を受信したらステップ１４へ進み、受信局情報を受信できなかった場合は処理を終了する。ステップ１４で家庭内装置１のＨＤＤ記録部１５に記録されているラジオ放送の転送を受け、車載装置２のＨＤＤ記録部２５へ記録開始する。続くステップ１５で家庭内装置１から転送されＨＤＤ記録部２５へ記録したラジオ放送を、最初から順に音響再生部２６およびスピーカー２７により再生開始する。家庭内装置１のＨＤＤ記録部１５には、乗員が家庭内装置１のラジオ受信機１１のオフ操作を行った時点からの放送が記録されているから、車両へ移動した乗員は家庭内装置１で視聴していた番組を続けて車載装置２から視聴することができる。
【００１９】
このとき、家庭内装置１から転送された放送の再生速度を、放送の記録速度よりも速くする。例えば、記録速度の１．２倍の速度で再生する。あるいは、図４(ａ)に示すように無音区間を検出し、図４(ｂ)に示すように無音区間のデータを圧縮して放送の再生速度を速くする。さらに、図５(ａ)に示すように録音した放送内容データから適当な間隔でデータを間引き、図５(ｂ)に示すような圧縮した出力データを生成して放送の再生速度を速くしてもよい。
【００２０】
ステップ１６において、家庭内装置１から受信した受信局情報に基づいてその放送局の放送を受信可能かどうかを確認する。例えば地下駐車場にいて受信できないときは、路上などの受信可能な位置まで移動する。家庭内装置１で受信していた放送局の電波を受信できる場合はステップ１７へ進み、車載装置２のＨＤＤ記録部２５へ車載ラジオ受信機２１で受信した放送の記録を開始する。この時点では、車載装置２で受信したラジオ放送のＨＤＤ記録部２５への記録と、家庭内装置１から受信したラジオ放送のＨＤＤ記録部２５への記録と、さらに先に家庭内装置１から受信して記録されているラジオ放送のＨＤＤ記録部２５からの読み出し再生とを同時に行う。
【００２１】
車載装置２でラジオ放送の記録を開始したら家庭内装置１での放送記録は必要なくなるため、ステップ１８で家庭内装置１へ放送記録停止メッセージを送信する。次に、ステップ１９で家庭内装置１のＨＤＤ記録部１５に記録されている放送の受信を終了したかどうかを確認し、放送受信を終了したらステップ２０へ進む。ステップ２０では家庭内装置１から受信してＨＤＤ記録部２５に記録した放送の再生を終了したかどうかを確認し、再生を終了したらステップ２１へ進む。
【００２２】
家庭内装置１の放送記録分の再生が終了したら、ステップ２１で車載装置２で受信しＨＤＤ記録部２５に記録した放送の再生を開始する。このとき、家庭内装置１の放送記録分の再生終了時刻と、車載装置２の放送記録分の再生開始時刻とを合わせ、音声が途切れることなく放送が連続的に行われるようにする。なお、車載装置２の放送記録分の再生を開始してからも、車載ラジオ受信機２１で受信した放送の記録を継続して行う。
【００２３】
車載装置２の放送記録分の再生に際しても、家庭内装置１の放送記録分の再生と同様に、放送の再生速度を放送の記録速度よりも速くしたり、あるいは無音区間を圧縮して再生速度を速くする。さらにまた、記録内容を適当な間隔で間引いて再生速度を速くしてもよい。
【００２４】
ステップ２２で車載装置２の放送記録分の再生が車載ラジオ受信機２１の”生”放送に追いついたかどうかを確認し、追いついたらステップ２３へ進み、ＨＤＤ記録部２５からの読み出し再生から車載ラジオ受信機２１の”生”放送へ切り換え、ＨＤＤ記録部２５への放送記録を終了する。
【００２５】
この第１の実施の形態によれば、家庭でラジオやテレビ放送を視聴しているときに車両へ移動しても、ラジオ受信機やテレビ受像機を携帯せずに、移動期間中の放送内容を車両到着後に漏れなく視聴することができる。
【００２６】
《発明の第２の実施の形態》
上述した第１の実施の形態では、家庭から車両へ移動する期間の放送分を家庭内装置１に記録する例を示したが、同期間の放送分を車載装置２に記録するようにした第２の実施の形態を説明する。なお、この第２の実施の形態の構成は図１に示す第１の実施の形態の構成からＨＤＤ記録部１５を除いた構成であり、図示と説明を省略する。
【００２７】
図６は、家庭内装置１のコントローラー１３の動作を示すフローチャートである。ステップ３１において、ラジオ放送の視聴中にラジオ・オフ検出部１８によるオフ操作が検出されるとステップ３２以降の処理を開始する。ステップ３２で車載装置２へ起動メッセージを送信する。この起動メッセージは、車載装置２でラジオ放送を受信して記録させるためのメッセージである。続くステップ３３では車載装置２から受信局情報の送信要求メッセージを受信したかどうかを確認する。受信局情報の送信要求メッセージを受信したらステップ３４へ進み、家庭内装置１のラジオ受信機１１の受信局情報を車載装置２へ送信する。
【００２８】
次に、ステップ３５で車載装置２から放送受信可能メッセージを受信したかどうかを確認する。放送受信可能メッセージを受信した場合は、車載ラジオ受信機２１で以後の放送を受信して記録するから、家庭内装置１における処理は不要となり、ステップ３９へ進んでラジオ受信機１１による放送受信を終了して処理を終了する。
【００２９】
一方、車載ラジオ受信機２１で放送を受信できない状況にあって、車載装置２から放送受信不可能のメッセージを受信した場合は、受信できるようになるまで家庭内ラジオ受信機１１で放送を受信し、車載装置２へ転送する。車載装置２で放送の受信が不可能なときはステップ３６へ進み、家庭内装置１のラジオ受信機１１で放送を受信し、携帯電話機１４を介して車載装置２へ放送内容を転送する。
【００３０】
ステップ３７で車載装置２から放送転送停止メッセージを受信したかどうかを確認し、停止メッセージを受信したらステップ３８へ進み、ラジオ放送の転送と受信を終了する。
【００３１】
図７および図８は、車載装置２のコントローラー２２の動作を示すフローチャートである。ステップ４１において家庭内装置１から起動メッセージを受信したかどうかを確認し、起動メッセージを受信したらステップ４２へ進み、家庭内装置１へ受信局情報要求メッセージを送信する。そして、ステップ４３で家庭内装置１から受信局情報を受信する。
【００３２】
ステップ４４では家庭内装置１からの受信局情報にしたがって車載ラジオ受信機２１でラジオ放送を受信し、放送を受信できるかどうかを確認する。放送を受信できる場合はステップ４５へ進み、受信できない場合はステップ５１へ進む。
【００３３】
まず、車載装置２で放送を受信できる場合について説明する。ステップ４５で車載ラジオ受信機２１で放送を受信し、ＨＤＤ記録部２５への記録を開始する。そして、ステップ４６で家庭内装置１へ放送受信可能メッセージを送信する。ステップ４７ではイグニッション・スイッチ（不図示）がオンしたかどうかを確認し、イグニッション・スイッチがオンしたときは乗員が搭乗したと判断し、ステップ４８へ進む。ステップ４８ではＨＤＤ記録部２５へラジオ放送を記録しながら、すでに記録されているラジオ放送を最初から読み出し、ラジオ放送の再生を開始する。なおこのとき、上述したように放送の再生速度を放送の記録速度よりも速くしたり、あるいは無音区間を圧縮して再生速度を速くする。さらにまた、記録内容を適当な間隔で間引いて再生速度を速くしてもよい。
【００３４】
ステップ４９で放送記録分の再生が車載ラジオ受信機２１の”生”放送に追いついたかどうかを確認し、追いついたらステップ５０へ進み、ＨＤＤ記録部２５からの再生放送から車載ラジオ受信機２１の”生”放送へ切り換え、ラジオ放送の受信と記録を終了する。
【００３５】
次に、車載装置２で放送を受信できない場合について説明する。ステップ５１で家庭内装置１へ放送受信不可能メッセージを送信する。そして、ステップ５２で家庭内装置１から転送された放送をＨＤＤ記録部２５へ記録開始する。ステップ５３ではイグニッション・スイッチがオンしたかどうかを確認し、イグニッション・スイッチがオンしたらステップ５４へ進み、家庭内装置１から転送されてＨＤＤ記録部２５に記録した放送の再生を開始する。なおこのとき、上述したように放送の再生速度を放送の記録速度よりも速くしたり、あるいは無音区間を圧縮して再生速度を速くする。さらにまた、記録内容を適当な間隔で間引いて再生速度を速くしてもよい。
【００３６】
ステップ５５で車載ラジオ受信機２１で放送を受信できるようになったかどうかを確認し、受信できるようになったらステップ５６へ進み、家庭内装置１へ放送の転送停止メッセージを送信する。そして、ステップ５７で家庭内装置１から転送されてＨＤＤ記録部２５に記録した放送の再生を行いながら、車載ラジオ受信機２１で受信した放送のＨＤＤ記録部２５への記録を開始する。
【００３７】
ステップ５８で放送記録分の再生が車載ラジオ受信機２１の”生”放送に追いついたかどうかを確認し、追いついたらステップ５９へ進み、ＨＤＤ記録部２５からの再生から車載ラジオ受信機２１の”生”放送へ切り換え、ＨＤＤ記録部２５への放送記録を終了する。
【００３８】
この第２の実施の形態によれば、家庭でラジオやテレビ放送を視聴しているときに車両へ移動しても、ラジオ受信機やテレビ受像機を携帯せずに、移動期間中の放送内容を車両到着後に漏れなく視聴することができる。
【００３９】
以上の実施の形態の構成において、家庭内装置１が第１の装置を、車載装置２が第２の装置を、携帯電話機１４，２３が通信手段を、ラジオ受信機１１，２１が情報受信手段を、継続視聴スイッチ２９が操作部材を、ＨＤＤ記録部１５，２５が情報記録手段を、スピーカー１２，２７および車載音響再生部２６が情報再生手段を、コントローラー１３，２２が制御手段をそれぞれ構成する。
【００４０】
なお、上述した一実施の形態では家庭内装置１と車載装置２との間の情報の授受を例に上げて説明したが、ナビゲーション装置２４により検出した現在位置に応じて予め定めた対象装置と情報の授受を行うようにしてもよい。例えば、現在位置が自宅周辺の場合は自宅にある装置との間で情報の授受を行い、現在位置が勤務先周辺であれば勤務先にある装置との間で情報の授受を行う。
【００４１】
また、上述した一実施の形態では家庭から車両へ移動する場合の例を示したが、勤務先から車両へ移動する場合、車両から家庭へ移動する場合、あるいは車両から勤務先へ移動する場合など、移動元および移動先は限定されず、上述した一実施の形態に示すような装置を相互に設置すれば、第１の場所から第２の場所へ移動する期間中の放送内容を移動先へ到着後に漏れなく視聴することができる。
【００４２】
さらに、情報受信手段は、上述した一実施の形態のラジオ受信機１１，２１に限定されず、テレビ受像機、ＦＭ放送受信機、ビーコン受信機など、オーディオ装置の外部から提供される各種情報を受信するすべての装置を対象とすることができる。
【００４３】
さらにまた、上述した一実施の形態では受信局検出部１７で検出した放送局を「情報の種類」として連絡する例を示したが、情報の種類は上述した一実施の形態に限定されず、ラジオ放送、テレビ放送、ＦＭ放送、ビーコン放送などの種別や、番組名など、情報を特定できるものであればどのようなものでもよい。
【図面の簡単な説明】
【図１】  第１の実施の形態の構成を示す図である。
【図２】  第１の実施の形態の家庭内装置の動作を示すフローチャートである。
【図３】  第１の実施の形態の車載装置の動作を示すフローチャートである。
【図４】  放送再生速度を速くする方法を説明するための図である。
【図５】  放送再生速度を速くする他の方法を説明するための図である。
【図６】  第２の実施の形態の家庭内装置の動作を示すフローチャートである。
【図７】  第２の実施の形態の車載装置の動作を示すフローチャートである。
【図８】  図７に続く、第２の実施の形態の車載装置の動作を示すフローチャートである。
【符号の説明】
１  家庭内オーディオ装置（家庭内装置）
２  車載オーディオ装置（車載装置）
１１  ラジオ受信機
１２  スピーカー
１３  コントローラー
１４  携帯電話機
１５  ＨＤＤ記録部
１６  パソコン
１７  受信局検出部
１８  ラジオ・オフ検出部
２１  車載ラジオ受信機
２２  コントローラー
２３  携帯電話機
２４  ナビゲーション装置
２５  ＨＤＤ記録部
２６  車載音響再生部
２７  スピーカー
２８  マイコン
２９  継続視聴スイッチ
【図１】
0004491957.tif 000002
【図２】
0004491957.tif 000003
【図３】
0004491957.tif 000004
【図４】
0004491957.tif 000005
【図５】
0004491957.tif 000006
【図６】
0004491957.tif 000007
【図７】
0004491957.tif 000008
【図８】
0004491957.tif 000009